(57)【要約】      （修正有）【課題】生ゴミや汚物が大量に存在する密閉空間に適用した場合でも、安全かつ確実に、空間の隅々で脱臭及び殺菌を実行できる加圧式殺菌・消臭装置を提供する。【解決手段】外部から空気を導入するための空気導入口と外部に空気を排出するための空気排出口とを有する気密室と、気密室内に備えられたコロナ放電方式放電電極であって、円筒状電極と針電極とから構成される放電電極と、コロナ放電方式放電電極に電圧を印加してオゾン及びマイナスイオンを同時発生させるよう制御する電圧印加制御部と、空気導入口を介して気密室に空気を送り、気密室内を加圧状態に維持するためのエアーポンプと、空気排出口に接続された管状部材とを有することを特徴とする。【選択図】図２
0003155540.tif 000002
【実用新案登録請求の範囲】
【請求項１】
外部から空気を導入するための空気導入口と外部に空気を排出するための空気排出口とを有する気密室と、
気密室内に備えられたコロナ放電方式放電電極であって、円筒状電極と針電極とから構成される放電電極と、
コロナ放電方式放電電極に電圧を印加してオゾン及びマイナスイオンを同時発生させるよう制御する電圧印加制御部と、
空気導入口を介して気密室に空気を送り、気密室内を加圧状態に維持するためのエアーポンプと、
空気排出口に接続された管状部材と
を有することを特徴とする、管状部材の開放端を処理エリアに挿入して使用する加圧式殺菌・消臭装置。
【請求項２】
空気排出口又は管状部材に加圧排出口弁が備えられている、請求項１記載の加圧式殺菌・消臭装置。
【請求項３】
エアーポンプの吐出圧が０．０５ｋｇ／ｃｍ２〜７ｋｇ／ｃｍ２である、請求項１又は２記載の加圧式殺菌・消臭装置。
【請求項４】
電圧印加制御部は、針電極側にプラスのパルス電圧を印加する、請求項１〜３のいずれか一項記載の加圧式殺菌・消臭装置。
【考案の詳細な説明】
【技術分野】
【０００１】
本発明は、気密性の高いボックス、例えば、生ゴミやオムツ等汚物入れ、トイレ及びトイレタンク、気密性の高い冷凍・冷蔵装置付のコンテナ及び冷凍・冷蔵装置付車両、冷蔵庫、室内・車両内の空調装置等に装着し常時の殺菌・消臭を目的とした装置に関するものである。
【背景技術】
【０００２】
高齢化社会に伴い、要介護人口と比例してオムツ等の汚物入れの需要も高くなっているが、開放の都度、悪臭を放つ為、介護人及び周囲への負担・不快感がある上に不衛生である。また、各家庭には必ず生ゴミの保管ボックスも存在しているが、開放の都度、雑菌増殖に伴い悪臭を放つ為、主婦の負担が大きい上に不衛生である。加えて、海外・国内の冷凍・冷蔵品物流には輸送用コンテナ及びトラック等での輸送が主流であり空調装置付コンテナ・トラックが多数あるが、積載貨物品の残臭・空調装置内のカビ臭が問題となっている。更に、冷蔵庫・室内・車両の空調装置も、保管物質・使用状況による臭気が問題となっている。
【０００３】
ここで、上記問題の一解決手法として、従来から殺菌消臭剤が提案されている。しかしながら、汚物入れや生ゴミの保管ボックスに使用した場合、当該容器を開放した時に悪臭を放つのが現状である。また、空調装置に使用（例えば散布や循環殺菌方式）した場合、空調装置内部に洗浄しても洗浄出来ない異臭・カビ臭が残り、次期積載貨物に臭気が移る、等、問題となっている。更に、別の解決手法として、殺菌消臭の対象となる空間から空気を吸引してフィルタにより汚染物質を吸着若しくは除去する方法が提案されている。しかしながら、長期の使用によりフィルタの交換等のメンテナンスが不可欠であり、しかもフィルタの性能が十分でないため、満足のいく性能が得られていない場合もある。
【０００４】
ところで近年、室内の空気清浄やリフレッシュのためにマイナスイオンやオゾンを発生する空気清浄機やエアコンなどが普及している。そして、消臭効果のあるマイナスイオンとオゾンとを同時発生させるマイナスイオン・オゾン発生装置を用いて対象空間を消臭等する技術が多数提案されている。
【０００５】
まず、特許文献１に係るマイナスイオン・オゾン発生装置は、部屋の天井に取り付けることを想定した装置であり、正電極が負電極より下方に位置するように配されていることを特徴とする。これによれば、ファンやモータを用いなくてもマイナスイオンとオゾンを含んだ下向きの気流を発生させることができる。
【０００６】
次に、特許文献２に係るマイナスイオン・オゾン発生装置は、先端が針状のマイナス電極と、それに平行して同心円状に設置された円筒型のグランド電極を備え、マイナス電極とグランド電極を相対的に移動可能とし、マイナス電極に高電圧を印加して、マイナス電極の先端部とグランド電極の端面との距離を調整することによりマイナスイオン又はオゾンを発生することを特徴とする。
【０００７】
次に、特許文献３に係るマイナスイオン・オゾン発生装置は、針電極とアース電極間に直流高電圧を印加して針電極尖端部でコロナ放電を生起させ、オゾン及びマイナスイオンを発生させる装置である。
【０００８】
次に、特許文献４に係るマイナスイオン・オゾン発生装置は、周囲に立上部を有した穴を１カ所又は複数箇所備えた金属板からなる正電極を有し、負電極の先端が前記正電極の穴近傍に位置していることを特徴とする。このように構成することで、放電により十分な気流が生じるため、ファン，モーター等の送風装置を別途使用しなくても発生したマイナスイオンとオゾンを拡散させることができる。
【特許文献１】実用新案登録第３１００７５４号
【特許文献２】特開２００３−３４２００５
【特許文献３】特開２００４−１８３４８
【特許文献４】特開２００５−１３８３１
【０００９】
このように、マイナスイオンとオゾンとを同時発生させるマイナスイオン・オゾン発生装置は、特許文献１〜４に示すように従来から数多く存在している。ところで、特許文献１〜４に係るマイナスイオン・オゾン発生装置では、発生したマイナスイオンやオゾンを含む空気を処理対象空間に送るために、発生装置を天井に配することで自重（オゾンは空気より重いため）により自然落下させたり（特許文献１）、ファン等で送風したり（特許文献３等）、マイナスイオンの発生に伴い発生する風を利用する（特許文献４）手法が採用されている。しかしながら、このような手法でマイナスイオン及びオゾンを含む空気を対象空間に送る場合、発生したイオンが周囲に付着したり装置内を滞留してしまい、対象空間に効率的に拡散しないという問題がある。
【００１０】
そこで、この問題を解決すべく、特許文献５には、マイナスイオン及びオゾンが効率よく大気中に発散するように、マイナスイオン発生装置に熱源を併設して、熱による対流を起こして室内及び大気中に拡散させる手段が提案されている。
【特許文献５】特開２００７−１４１８３７
【００１１】
しかしながら、前述した特許文献１〜５に係るマイナスイオン・オゾン発生装置は、部屋の内部に取り付けることを想定したものである。したがって、生ゴミや汚物が沢山存在するような密閉ボックス内での使用には適さない。その理由を挙げる。まず一点目の理由は、マイナスイオン・オゾン発生装置から発生する処理空気の風速が微弱であるため、本来処理されるべき場所である、密閉ボックス内の奥の方まで当該処理空気が到達しないことが挙げられる。前述のような生ゴミや汚物が沢山存在する場合、外気と触れる上部よりも通気性の悪い奥の方が異臭成分の濃度や異臭成分の発生原因である嫌気性菌の量が多い。したがって、本来処理されるべきは密閉ボックスの奥の方であるにもかかわらず、処理空気の風速が弱すぎて当該処理空気が密閉ボックスの隅々まで行きわたらない。この状況を放置しておくと、悪臭のみならずメタンガス等の可燃性ガスも大量に発生する恐れがあり大変危険である。次に、特許文献１〜５に係るマイナスイオン・オゾン発生装置は、処理対象空間である室内に配置して使用されることを前提とする。したがって、前述のような密閉ボックスに使用する場合も、当該密閉ボックス内に当該発生装置を配置して使用することになる。しかしながら、前述のように、生ゴミや汚物が沢山存在する密閉ボックス内に当該発生装置を配置した場合、装置内に存在する高電圧印加回路やファン等からのスパークが、ボックス内に存在するメタン等の可燃性ガスに引火する恐れがある。これが、特許文献１〜５に係るマイナスイオン・オゾン発生装置が密閉空間の処理に適しない二点目の理由である。
【００１２】
ところで、特許文献６に係るマイナスイオン・オゾン発生装置は、特許文献１〜５に係る装置の上述した問題を一見すると解決可能な構成を有している。具体的には、特許文献６には、オゾン発生器と、発生したオゾンを外部に送出させるオゾン用エアポンプと、トルマリンを用いたマイナスイオン発生器と、発生したマイナスイオンを外部に送出するマイナスイオン用エアポンプとを備えており、オゾン発生器とマイナスイオン発生器から送出されるホースをＹ字管で中途で繋いで、オゾン及びマイナスイオンを送出することが可能できるマイナスイオン・オゾン発生装置が提案されている。このように、エアポンプを用いて発生したマイナスイオン及びオゾンを含有する処理空気を送り出すと共に、ホースを用いて密閉ボックス内に当該処理空気を導入する構成とすることで、前述した二点の問題は解消できる。
【特許文献６】実用新案登録第３０９８２３９号
【考案の開示】
【考案が解決しようとする課題】
【００１３】
しかしながら、本発明者は、特許文献６のオゾンとマイナスイオンを別々に発生させて混合する形態を追試してみたものの、対象空間を有効には脱臭及び殺菌できないことを確認した。その理由は下記の通りであると推定される。悪臭や化学物質の多くはプラスイオンでプラスの電荷を持っている。ここで、臭いは臭い分子の一部分が振動することにより生じると考えられており、その振動を抑えれば臭いが抑制できる。そして、マイナスイオンが臭い分子の振動部分に電子を与えることで電気的に中性になり振動が収まり消臭される。したがって、消臭にマイナスイオンは有効であるが、マイナスイオンは非常に不安定であり、発生して間もなく、系に存在するプラスイオンと合体したり、他の物質と化合したり、また分解したりして他の物質に変容する。したがって、特許文献６の装置では、大部分のマイナスイオンが消滅していると考えられる。同じく、オゾンについても、温度や圧力が上昇する程、オゾンから酸素に変化する反応が速くなることが知られている。したがって、特許文献６の装置では、対象空間に達する前にオゾンの多くが分解されている可能性が高いと考えられる。このように、特許文献６に係る装置では、オゾンとマイナスイオンの含有量が低い空気がチューブを介して対象空間に適用される。この場合、両有効成分であるオゾンとマイナスイオンの量が少ないことに加え、一方の有効成分であるオゾンはそれ自体電荷を有していない。したがって、両有効成分が少ないために悪臭や化学成分と結合する頻度が少ないことに加え、電気的に中性であるオゾン分子については、帯電した悪臭成分との間で電気的引力が働かないため、より一層悪臭成分との衝突頻度が低下すると考えられる。そこで、本発明は、生ゴミや汚物が大量に存在する密閉空間に適用した場合でも、安全かつ確実に、空間の隅々で脱臭及び殺菌を実行できる手段を提供することを目的とする。
【課題を解決するための手段】
【００１４】
本発明者は、特許文献６に係る装置では、処理対象空間に到達する前に大部分のマイナスイオンとオゾンが消滅する可能性に鑑み、（１）オゾンとマイナスイオンとを密閉空間内に配された単一のコロナ放電式電極で発生させること、（２）マイナスイオンが他の成分と結合したりオゾンが分解される前にマイナスイオンとオゾンとを早期に反応させてより安定な複合体を形成させるべく、密閉空間を加圧状態にすること、（３）マイナスイオンとオゾンとが合体した後にただちに処理対象空間に処理空気を送ること、により、マイナスイオンやオゾンが消滅する前に両者の効果を維持した複合体を形成させ、当該複合体が電気的引力によりプラスに帯電した臭い成分等に近づくことで効率的に消臭・除菌することができるのではないかと考え、本発明を完成させたものである。
【００１５】
本発明（１）は、外部から空気を導入するための空気導入口（空気導入口１１ａ）と外部に空気を排出するための空気排出口（空気排出口１１ｂ）とを有する気密室（タンク１１）と、
気密室（タンク１１）内に備えられたコロナ放電方式放電電極であって、円筒状電極（筒状電極１２ｂ）と針電極（針電極１２ａ）とから構成される放電電極（コロナ放電式電極１２）と、
コロナ放電方式放電電極（コロナ放電式電極１２）に電圧を印加してオゾン及びマイナスイオンを同時発生させるよう制御する電圧印加制御部（電圧印加制御手段１２）と、
空気導入口（空気導入口１１ａ）を介して気密室（タンク１１）に空気を送り、気密室（タンク１１）内を加圧状態に維持するためのエアーポンプ（エアーポンプ１４）と、
空気排出口（空気排出口１１ｂ）に接続された管状部材（管状部材１５）と
を有することを特徴とする、管状部材（管状部材１５）の開放端を処理エリアに挿入して使用する加圧式殺菌・消臭装置（加圧式殺菌・消臭装置１）である。
【００１６】
本発明（２）は、空気排出口（空気排出口１１ｂ）に加圧排出口弁（加圧排出口弁１１ｄ）が備えられている、前記発明（１）の加圧式殺菌・消臭装置（加圧式殺菌・消臭装置１）である。
【００１７】
本発明（３）は、エアーポンプ（エアーポンプ１４）の吐出圧が０．０５ｋｇ／ｃｍ２〜７ｋｇ／ｃｍ２である、前記発明（１）又は（２）の加圧式殺菌・消臭装置（加圧式殺菌・消臭装置１）である。
【００１８】
本発明（４）は、電圧印加制御部（電圧印加制御手段１２）は、針電極（針電極１２ａ）側にプラスの電圧を印加する、前記発明（１）〜（３）のいずれか一つの加圧式殺菌・消臭装置（加圧式殺菌・消臭装置１）である。
【考案の効果】
【００１９】
本発明によれば、生ゴミや汚物が大量に存在する密閉空間に適用した場合でも、安全かつ確実に、空間の隅々で脱臭及び殺菌を実行できるという効果を奏する。
【図面の簡単な説明】
【００２０】
【図１】図１は、本最良形態に係る加圧式殺菌・消臭装置１の一例を示した概観図である。
【図２】図２は、本最良形態に係る加圧式殺菌・消臭装置１の内部構造を示した概観図である。
【図３】図３は、本最良形態に係る電圧印加制御手段の回路の一例である。
【考案を実施するための形態】
【００２１】
《装置構成》
本最良形態に係る加圧式殺菌・消臭装置は、外部から空気を導入するための空気導入口と外部に空気を排出するための空気排出口とを有する気密室（タンク）と、タンク内に備えられた単一のコロナ放電方式放電電極と、高電圧を針電極に印加するよう制御する電圧印加制御手段と、空気導入口を介してタンクに空気を送り、タンク内を加圧状態に維持するためのエアーポンプと、空気排出口に接続された管状部材とを有することを特徴とする。ここで、図１は、本最良形態に係る加圧式殺菌・消臭装置１の一例を示した概観図であり、図２は、本最良形態に係る加圧式殺菌・消臭装置１の内部構造を示した概観図である。以下、図１及び図２を参照しながら、各要素を詳述することとする。
【００２２】
収納ケース
図１に示すように、本最良形態に係る加圧式殺菌・消臭装置１は、収納ケース１０を有している。ここで、収納ケース１０には、当該装置１を操作するための各種スイッチ１０ａと、後述する管状部材１５を装置内から外部に引き出すための開口部１０ｂが備えられている。ここで、当該収納ケース１０の大きさは、用途に応じて異なるが、例えば、持ち運びが容易であり設置した際に場所をとらないようなポータブルサイズとする場合には、その容積は、例えば５００〜５０００ｃｍ３である。尚、材質や形状は特に限定されず、例えばプラスチックやアルミが使用できる。
【００２３】
タンク
図２に示すように、タンク１１は、収納ケース１０内に固定された、外部空気との接触しないような気密ボックスからなる。尚、本最良形態では、タンク形状をボックス状としたがこれには限定されず、例えば、筒状や半円柱状（トンネル状）であってもよい。ここで、タンク１１の容積は、収納ケース１０がポータブルサイズ（５００〜５０００ｃｍ３）である場合、２０〜２００ｃｍ３、好適には５０〜１５０ｃｍ３である。また、タンクを構成する壁面の材質は、内部で高電圧が印加されるために絶縁性材料であることが好適であり、かつ、腐食性のオゾンが内部で発生するために耐腐蝕性材料であることが好適である。このような素材としては、プラスチックが好適である。加えて、本最良形態では、タンクは８面が一体化した気密ボックスを収納ケース１０の底面に固定する形態を例示したが、これにも限定されず、例えば、一面が開口した容器を、当該開口面を下向きにして収納ケース１０の底面に固定することで気密空間（収納ケース）を形成する形態であってもよい。
【００２４】
ここで、図２に示すように、タンク１１は、後述するエアーポンプ１４からの加圧空気を導入するための空気導入口１１ａと、コロナ放電方式放電装置１２で処理された空気を外部に排出するための空気排出口１１ｂとを有している。そして、空気導入口１１ａには、エアーポンプ１４と接続した圧縮空気排出管１４ｂが取り付けられている。ここで、当該取り付け箇所を介して、内部の圧縮空気が外部に漏れたり外部空気が内部に侵入したりすることの無いよう、エアーポンプ１４の圧縮空気排出管１４ｂを空気導入口１１ａに差し込んだ後に圧縮空気排出管１４ｂの外壁と空気導入口１１ａの内壁との間の隙間を接着剤で埋める密閉処理が施されている。他方、空気排出口１１ｂには、消臭や殺菌の対象空間に処理ガスを送るための管状部材１５が取り付けられている。ここでも、当該取り付け箇所を介して、内部の圧縮空気が外部に漏れたり外部空気が内部に侵入したりすることの無いよう、管状部材１５が空気排出口１１ｂとの間に密閉処理が施されている。更に、図示しないが、電圧印加制御手段からの被覆電線も、タンク１１に設けられた穴を介して内部に導入されている。そして、当該被覆電線はコロナ放電方式放電電極と接続している。ここで、被覆電線の外壁と穴の内壁との間の隙間についても前述の密閉処理が施されている。
【００２５】
更に、安定性能を担保するため、図２に示すように、タンク１１には圧力調整弁１１ｃ及び加圧排出口弁１１ｄを備えることが好適である。このような構成を採ることで、タンク１１内は常に一定の高圧状態が維持される。
【００２６】
コロナ放電式電極
図２に示すように、コロナ放電式電極１２は、密閉空間であるタンク１１内に設置されている。ここで、本最良形態に係るコロナ放電式電極１２は、針電極１２ａと筒状電極１２ｂを一対とする電極から構成される。尚、図２では４対の電極がタンク１１内に配置されている。そして、両電極は、被覆電線を通じて、後述する電圧印加制御手段１３に接続され、針電極１２ａ側に高電圧が印加される。このようにコロナ放電を利用すると、空気中にマイナスイオンを発生させることができると共に、電圧を調整することで更にオゾンを発生させることが可能となる。尚、コロナ放電式電極については、放電電極及び誘導電極の組み合わせとして多数あるが、加圧して排出される処理ガスの性能としては、針電極と筒状電極との組み合わせが抜群であった。
【００２７】
電圧印加制御手段
図２に示すように、電圧印加制御手段１３は、マイナスイオン発生装置で採用されているものが使用可能であり、例えば、図３に示すようなコッククロフト・ウォルトン回路と呼ばれる回路でパルス状の高圧直流電圧を発生させる。特に、針電極にプラスの電圧（周期的に０、プラス電圧が印加されるパルス電圧）を印加した場合、生成される処理ガスは高い性能を示した（例えば、ピーク電圧１２ｋＶ、３．１ｋＨｚ）。ここで、マイナスイオン及びオゾンの発生量の調整は、公知のように、電圧の大きさ（電圧が大きい程両者の発生量は大きくなる）、針電極と筒状電極との距離を調整すること等により可能である。
【００２８】
エアーポンプ
図２に示すように、エアーポンプ１４は、加圧空気をタンク１１内に送り込むことが可能である限り特に限定されず、例えば、電磁式エアーポンプ、ロータリー式エアーエアポンプ、ダイアフラム振動型エアーポンプを挙げることができ、市販の水槽用エアーポンプやコンプレッサが使用可能である。ここで、このエアーポンプの吐出圧は、０．０５ｋｇ／ｃｍ２〜７ｋｇ／ｃｍ２であることが好適であり、０．１０〜０．２０ｋｇ／ｃｍ２であることがより好適である。また、図２に示すように、エアーポンプ１４は、外部から空気を取り込むための吸気口１４ａとタンク１１に空気を送り込むための圧縮空気排出管１４ｂとを備えている。
【００２９】
管状部材
図１及び図２に示すように、管状部材１５は、タンク１１の空気排出口１１ｂと接続しており、収納ケース１０の開口部１０ｂを介して外部に引き出されている。ここで、管状部材１５は、ホース又はパイプから構成される。ここで、当該管状部材１５をどのような材質とするかは用途に応じて選択されるが、オゾンは酸化腐食作用があるために、腐蝕され易い金属性部材は不適であり、シリコン製やプラスチック・樹脂製であることが好適である。具体的には、例えばゴミ箱や汚物入れに挿入する用途を想定した場合には、シリコンホースや樹脂製ホースといった柔軟性のあるものを選択することが好適であり、コンテナや冷蔵庫等に固定する用途を想定した場合には、樹脂製のパイプといった高強度のものを選択することが好適である。ここで、管状部材１５の径及び長さは、それぞれ２〜１０ｍｍ（より好適には３〜６ｍｍ）、０．２〜５ｍ（より好適には０．５〜２．５ｍ）が好適である。尚、当該最良形態では、管状部材は一本であるが、これには限定されず、複数設けたり一本を複数に分岐するよう構成してもよい。
【００３０】
ここで、特にゴミ箱や汚物入れに挿入するといった、メタン等の可燃性ガスが発生し得る場所での使用を想定した場合、メタン等の可燃性ガスが管状部材１５を介してタンク１１内に侵入しスパークが生じ発火する危険性がある。そこで、図２に示すように、管状部材１５に逆流防止弁１５ａを設けることが好適である。更には、魚介類飼育水槽に使用する場合には、この逆流防止弁１５ａを設けることで水の逆戻りを防止することが可能となる。
【００３１】
尚、図２には示されていないが、タンク１１外側の収納ケース１０内に、更にコロナ放電方式放電電極を備えてもよい。この場合、前述した電圧印加制御手段１２は、タンク１１内のコロナ放電式電極１２だけでなく、タンク１１外のコロナ放電方式放電電極に対しても高電圧を印加する。この結果、収納ケース１０内（タンク１１外）にもマイナスイオンとオゾンが発生する。そして、この発生したマイナスイオンとオゾンとを、収納ケース１０に設けられた図示しない排出口とファンにより、外部空間に放出するよう構成する。このように構成することで、ゴミ箱等の処理対象空間だけでなく、収納ケース１０が配された空間における除臭・殺菌も同時に実行可能となる。
【００３２】
《用途（使用方法）》
本最良形態に係る加圧式殺菌・消臭装置は、臭いや菌の発生が問題となる様々な空間に対して適用することが可能である。例えば、気密性の高いボックス、例えば、生ゴミやオムツ等汚物入れ、トイレ及びトイレタンク、気密性の高い冷凍・冷蔵装置付のコンテナ及び冷凍・冷蔵装置付車両、冷蔵庫、室内・車両内の空調装置等の空間に直接、管状部材を挿入して使用する。このように、気密性の高い空間にイオン及びオゾンを含む空気が直接導入される結果、気密空間を開放した際の噎せ返るような悪臭から開放される。更に、時間と共に量が減少する薬剤と異なり、作動し続けている間はいつまでも有効成分（イオン及びオゾンを含む空気）が導入され続ける結果、異臭成分の発生量の大小や発生継続期間にかかわらず、安定して消臭・除菌効果を維持し続けることが可能である。加えて、管状部材を介して有効成分（イオン及びオゾンを含む空気）を対象空間に導入する結果、電気を使用して引火の可能性のある装置本体を、引火の危険性の無い対象空間外に配置することも可能となる。更に、加圧空気が対象空間に導入される結果、ゴミ等が沢山入っている気密ボックス内においても隅々までの殺菌・消臭が可能となる。特に、加圧空気でないと到達しないようなエリアにこそ、より多くの臭い成分や菌が存在している。この点に鑑みると、加圧空気を送る構成とすることは特に有利である。
【００３３】
更には、本最良形態に係る加圧式殺菌・消臭装置は、エアーストーン・ナノバブル給気源による海水及び淡水の殺菌・消臭用としても使用可能である。これにより、魚介類飼育水槽内の殺菌、消臭を有効に行うことができる。
【図１】
0003155540.tif 000003
【図２】
0003155540.tif 000004
【図３】
0003155540.tif 000005